(57)【特許請求の範囲】
【請求項１】
建造物の壁面に設けた埋設穴に埋め込み、足場ボルトを螺合して足場を形成するための円筒状の足場用金具を覆う保護部材であって、前記足場用金具の内面に形成したねじ溝に、頭部に設けた操作孔を用いて螺合により取り付けた覆いボルトと、板体状の蓋部材の裏側から突設したピンの先端に球状部を設け、該球状部を挿入スリーブの球状の軸受部に挿入することにより前記挿入スリーブに対し前記蓋部材を回動自在に連結した表装ピンとから成り、割り溝を設けた前記挿入スリーブの先端を前記操作孔に弾性的に挿し込むことにより前記表装ピンを前記覆いボルトに取り付け、前記蓋部材により前記埋設穴を覆うことを特徴とする足場用金具の保護部材。
【請求項２】
前記覆いボルトを前記足場用金具に螺合する際に、両者の間にシール部材を介在させることを特徴とする請求項１に記載の足場用金具の保護部材。
【請求項３】
前記蓋部材の表面に前記建造物の壁面と同様の色彩、模様を付したことを特徴とする請求項１又は２に記載の足場用金具の保護部材。
【発明の詳細な説明】
【技術分野】
【０００１】
本発明は、ビル等の建造物の壁面に埋め込んだ足場用金具の使用可能状態を維持するための足場用金具の保護部材に関するものである。
【背景技術】
【０００２】
従来、ビルやマンション等の建築工事においては、建物の周囲に工事用の仮設足場を周設し、建物の壁面にアンカを打ち込み、仮設足場と連結することにより、仮設足場の倒壊を防止している。建築工事が終了し、仮設足場を解体する際には、壁面に打ち込んだアンカはパテやモルタルで埋め込み、新たなタイルを張ることにより修復している。
【０００３】
また、ビルやマンション等の建築物を保守するためには、概ね１０〜１５年毎に仮設足場の用いる大規模修繕工事を行う必要がある。この場合には、その都度壁面にアンカを打ち込む必要がある。
【０００４】
また、コンクリート電柱などにおいては、特許文献１のように電柱に金属製の足場ボルト用ナットを埋め込み、必要に応じてナットに足場ボルトを螺合して足場として使用している。この場合には、使用後には足場ボルトを取り外しておけば、繰り返しての使用が可能となる。
【０００５】
【特許文献１】実開昭５８−１７７４９９号公報
【発明の開示】
【発明が解決しようとする課題】
【０００６】
しかしながら、補修等に際して建築物の壁面全面に多数のアンカを打ち込む作業は極めて大きな労力を必要とし、大規模修繕工事の度に壁面の同じ目的の穴部を多数設けることは無駄である。また、大規模修繕工事の度に壁面に多数の穴部を穿けると、壁面の強度の低下が懸念される。
【０００７】
また、特許文献１の足場ボルト用ナットは建築物への適用が可能であるが、穴の穿いたままナットを放置すると美観が悪く、土砂等が詰まったり、腐蝕が生じたりして、長年に渡って使用可能状態を維持することは困難である。
【０００８】
本発明の目的は、建造物の壁面に埋め込んだ足場用金具の使用可能状態を維持し、建造物の美観を損なわない足場用金具の保護部材を提供することにある。
【課題を解決するための手段】
【０００９】
上記目的を達成するための本発明に係る足場用金具の保護部材は、建造物の壁面に設けた埋設穴に埋め込み、足場ボルトを螺合して足場を形成するための円筒状の足場用金具を覆う保護部材であって、前記足場用金具の内面に形成したねじ溝に、頭部に設けた操作孔を用いて螺合により取り付けた覆いボルトと、板体状の蓋部材の裏側から突設したピンの先端に球状部を設け、該球状部を挿入スリーブの球状の軸受部に挿入することにより前記挿入スリーブに対し前記蓋部材を回動自在に連結した表装ピンとから成り、割り溝を設けた前記挿入スリーブの先端を前記操作孔に弾性的に挿し込むことにより前記表装ピンを前記覆いボルトに取り付け、前記蓋部材により前記埋設穴を覆うことを特徴とする。
【発明の効果】
【００１０】
本発明に係る足場用金具の保護部材によれば、一旦、足場用金具を壁面に埋め込むと、仮設足場を必要とする場合に、足場ボルトを容易に取り付け可能となり、その使用可能状態を長年に渡って維持できる。
【発明を実施するための最良の形態】
【００１１】
本発明を図示の実施例に基づいて詳細に説明する。
図１は本実施例における足場用金具とその保護部材の分解斜視図を示している。金属体から成る円筒状の足場用金具１の後端には、長手方向に数本のスリット１ａが設けられており、前端の内面には覆いボルト２と螺合するねじ溝１ｂが刻設されている。また、足場用金具１の外面には後述する壁面の埋設穴に挿入した際に抜け難くするためのローレット溝１ｃが刻設されている。更に、スリット１ａ側の足場用金具１内には、先端を細くしたテーパ形状を有する金属製の円錐部材３が嵌合されている。
【００１２】
また、ステンレス等から成りねじ溝１ｂに螺合する覆いボルト２の先端には、足場用金具１の径とほぼ同径の頭部２ａが設けられ、頭部２ａの頂部には螺着及び螺着解除のための六角レンチなどが適合する操作孔２ｂが設けられている。この操作孔２ｂの奥は更に袋部が形成され、表装ピン４の挿入スリーブが挿入可能とされている。覆いボルト２の頭部２ａ寄りのねじ部２ｃ側には、足場用金具１内に水の浸入を防止するための合成ゴム等から成るリング状のシール部材５が挿着されている。
【００１３】
図２は覆いボルト２に取り付けられる表装ピン４の分解側面図を示している。覆いボルト２の頭部２ａとほぼ同径の例えば金属製板体から成る蓋部材４ａの裏面には、先端に球状部４ｂを有するピン４ｃが設けられており、この球状部４ｂは合成樹脂製の挿入スリーブ４ｄに挿入されるようになっている。挿入スリーブ４ｄの前部には球状部４ｂを受け入れる球状の軸受部４ｆが形成され、後部には覆いボルト２の操作孔２ｂ内において抜け難くするための弾発作用する割り溝４ｇが設けられている。また、蓋部材４ａの表面は、足場用金具１を埋め込む建物の外壁と同様の色彩・模様が塗装されている。
【００１４】
図３は足場用金具１を建物の壁面に埋め込み、仮設足場を固定した状態の断面図を示している。先ず、壁部１１に足場用金具１を埋め込むために、ドリル等を用い足場用金具１とほぼ同径で有底の埋設穴１２を穿孔し、円錐部材３を仮嵌合した足場用金具１を挿入する。そして、ハンマ等を用いて足場用金具１を埋設穴１２内に打ち込むと、足場用金具１に円錐部材３が嵌まり込んでゆくことにより、スリット１ａによって足場用金具１の先端の径が拡がり、足場用金具１が埋設穴１２内に密着し固定される。
【００１５】
なお、足場用金具１にはその前面に、覆いボルト２、表装ピン４を取り付けることを考慮して、壁面１３よりも若干奥に取り付ける必要がある。また、埋設穴１２の奥部に図示しない接着剤を注入することにより、更に足場用金具１を壁部１１内に強固に固定することができる。なお、この足場用金具１は埋設穴１２を形成するのではなく、建築時のコンクリート打設時に壁部１１内に埋め込むこともできる。
【００１６】
上述の方法により、壁部１１内に固定した足場用金具１のねじ溝１ｂに、金属製の足場ボルト１４を螺合する。これにより、この足場ボルト１４を基に建築時或いは補修時に仮設足場を設けることができる。
【００１７】
図４は建築或いは補修が終了し、足場用金具１に覆いボルト２、表装ピン４を取り付けた状態の断面図を示している。先ず、仮設足場を固定するために用いた足場ボルト１４を足場用金具１から取り外し、足場用金具１のねじ溝１ｂに覆いボルト２を、頭部２ａに設けた操作孔２ｂに例えば六角レンチを作用させて螺合する。この際に、足場用金具１と覆いボルト２の間にシール部材５を介在することにより、シール部材５が圧迫、拡径されることによって、足場用金具１内や埋設穴１２の内部に雨水等が浸入することが防止される。
【００１８】
覆いボルト２の固定後に、覆いボルト２に設けた操作孔２ｂ内に、蓋部材４ａを取り付けた挿入スリーブ４ｄを挿入する。これにより、蓋部材４ａが埋設穴１２を覆うことにより、蓋部材４ａは壁部１１と同様の色彩・模様が塗装されているので、足場用金具１を埋め込んだ位置をカモフラージュすることができる。
【００１９】
また、蓋部材４ａは挿入スリーブ４ｄに対して回動自在としたことにより、壁面１３に対して向きを調整することが可能となり、壁部１１に足場用金具１を埋め込む際に、足場用金具１が壁面１３に対して多少、斜めに埋め込まれても、蓋部材４ａの向きを調整することにより修正することができる。
【００２０】
このようにして、カモフラージュされた壁部１１は、間近で観察しない限り、蓋部材４ａを認識することはない。また、仮設足場を必要とする大規模修繕工事等においては、表装ピン４及び覆いボルト２を足場用金具１から取り外すことにより、足場ボルト１４を用いて仮設足場を構設することができる。
【００２１】
なお実施例においては、蓋部材４ａは埋設穴１２内に入り込むようにしているが、その径を埋設穴１２の径よりも大きくして、埋設穴１２の周囲までも覆うようにすると、埋設穴１２への水等の浸入は更に軽減される。
【産業上の利用可能性】
【００２２】
本発明においては、建物の壁面を用いて説明したが、建物以外にも電柱等の建造物においても適用することができる。
【図面の簡単な説明】
【００２３】
【図１】足場用金具と覆いボルトと表装ピンの斜視図である。
【図２】蓋部材付き表装ピンの側面図である。
【図３】足場用金具を壁部に埋め込み、足場ボルトを取り付ける状態の断面図である。
【図４】足場用金具を壁部に埋め込み、表装ピンを取り付けた状態の断面図である。
【符号の説明】
【００２４】
１  足場用金具
１ａ  スリット
１ｂ  ねじ溝
２  覆いボルト
２ａ  頭部
２ｂ  操作孔
３  円錐部材
４  表装ピン
４ａ  蓋部材
４ｂ  球状部
４ｃ  ピン
４ｄ  挿入スリーブ
５  シール部材
１１  壁部  
１２  埋設穴
１３  壁面
１４  足場ボルト
【図１】
0004420942.tif 000002
【図２】
0004420942.tif 000003
【図３】
0004420942.tif 000004
【図４】
0004420942.tif 000005